(57)【要約】【課題】画面サイズに応じて画質が自動調整されるようにする。【解決手段】同一のサイズの小画面を２画面表示するときの各小画面の画面サイズをデフォルト値とし、小画面を表示するときにその小画面の画面サイズのデフォルト値に対する割合が所定の範囲内にあるとき、画面サイズに比例して輝度を大きくし、画面サイズのデフォルト値に対する割合が所定値以下の場合、画面サイズに反比例してシャープネスおよびコントラストを増加させる制御を行う。【選択図】図５
2009005258.tif 000002
【特許請求の範囲】
【請求項１】
画面を仮想的に分割した小画面に各映像を表示するテレビジョン受像機であって、
前記小画面の大きさに応じた調整値を記憶する調整値記憶手段と、
前記調整値記憶手段に記憶された調整値に応じて各小画面に表示された各映像を調整する映像調整手段と
を備えることを特徴とするテレビジョン受像機。
【請求項２】
前記調整値は、前記映像の画質、コントラスト、輝度、およびシャープネスの少なくともいずれか１つである
ことを特徴とする請求項１に記載のテレビジョン受像機。
【請求項３】
前記映像調整手段は、前記調整値記憶手段に記憶されている前記調整値に従って、前記小画面の大きさに反比例して前記シャープネスを増加させる
ことを特徴とする請求項２に記載のテレビジョン受像機。
【請求項４】
前記映像調整手段は、前記調整値記憶手段に記憶されている前記調整値に従って、前記小画面の大きさに反比例して前記コントラストを増加させる
ことを特徴とする請求項２に記載のテレビジョン受像機。
【請求項５】
前記映像調整手段は、前記調整値記憶手段に記憶されている前記調整値に従って、前記小画面の大きさに比例して前記輝度を増加させる
ことを特徴とする請求項２に記載のテレビジョン受像機。
【発明の詳細な説明】
【技術分野】
【０００１】
本発明はテレビジョン受像機に関し、特に、複数の映像を画面を仮想的に分割した各小画面に表示する多画面表示が可能なテレビジョン受像機に関するものである。
【背景技術】
【０００２】
従来、１つの表示装置に２以上の映像を表示する多画面表示テレビジョン受像機において、映像調整回路によって各画面毎に映像を最適状態に調整して表示することにより、各画面間のコントラストや輝度等のばらつきを少なくして各画面の映像を見やすくするようにしたものがあった（例えば、特許文献１参照）。
【特許文献１】特開昭６１−２４７７号公報
【発明の開示】
【発明が解決しようとする課題】
【０００３】
しかしながら、特許文献１の発明では、各画面毎に映像の調整を行わなければならず、調整作業が繁雑であるという問題があった。また、各画面の大きさや内容等の属性とは無関係に、各画面間のばらつきをなくすことが目的であるため、画面の大きさが異なる多画面表示時において、各画面に表示された各映像が全て見やすくなるとは限らないという問題があった。
本発明はこのような状況に鑑みてなされたものであり、上記問題点を解決できるテレビジョン受像機を提供することを目的とする。
【課題を解決するための手段】
【０００４】
本発明のテレビジョン受像機は、画面を仮想的に分割した小画面に各映像を表示するテレビジョン受像機であって、前記小画面の大きさに応じた調整値を記憶する調整値記憶手段と、前記調整値記憶手段に記憶された調整値に応じて各小画面に表示された各映像を調整する映像調整手段とを備えることを特徴とする。
また、前記調整値は、前記映像の画質、コントラスト、輝度、およびシャープネスの少なくともいずれか１つであるようにすることができる。
また、前記映像調整手段は、前記調整値記憶手段に記憶されている前記調整値に従って、前記小画面の大きさに反比例して前記シャープネスを増加させるようにすることができる。
また、前記映像調整手段は、前記調整値記憶手段に記憶されている前記調整値に従って、前記小画面の大きさに反比例して前記コントラストを増加させるようにすることができる。
また、前記映像調整手段は、前記調整値記憶手段に記憶されている前記調整値に従って、前記小画面の大きさに比例して前記輝度を増加させるようにすることができる。
【発明の効果】
【０００５】
本発明によれば、画面を仮想的に分割した小画面の大きさに応じた調整値を記憶し、この調整値に応じて各小画面に表示された各映像を調整するようにしたので、サイズの異なる複数の小画面に映像を表示する場合でも、各映像の視認性を画面サイズによらず向上させることができる。
【発明を実施するための最良の形態】
【０００６】
図１は、本発明が適用されるテレビジョン受像機の一実施の形態の構成例を示すブロック図である。なお、図１から図４においては、画面を仮想的に分割した小画面を主画面と副画面として２画面表示した場合を主として説明する。図１に示すように、本実施の形態は、図示しないアンテナによって受信された受信信号から所定のチャンネルを選局し、選局したチャンネルの映像音声信号を後述するＡＶスイッチ３に供給するチューナＡ１と、図示しないアンテナによって受信された受信信号から所定のチャンネルを選局し、選局したチャンネルの映像音声信号を後述するＡＶスイッチ３に供給するチューナＢ２と、チューナＡ１およびチューナＢ２から供給された映像音声信号のうち、主画面に表示すべく設定されている方の映像音声信号が主画面用デコーダ４に供給され、副画面に表示すべく設定されている方の映像音声信号が副画面用デコーダ５に供給されるよう切り換えるＡＶスイッチ３と、ＡＶスイッチ３から供給された主画面に表示すべき映像音声信号をデコードし、デコードした映像音声信号を後述するＡＶ出力制御部６に供給する主画面用デコーダ４と、ＡＶスイッチ３から供給された副画面に表示すべき映像音声信号をデコードし、デコードした映像音声信号を後述するＡＶ出力制御部６に供給する副画面用デコーダ５と、主画面用デコーダ４から供給された映像音声信号のうち、音声信号をスピーカ１１に供給し、映像信号をディスプレイ１２に供給するとともに、副画面用デコーダ５から供給された映像音声信号のうち、映像信号をディスプレイ１２に供給するＡＶ出力制御部６と、チューナＡ１およびチューナＢ２に対して選局すべきチャンネルを指定し、指定したチャンネルを選局するよう制御したり、ディスプレイ１２に選択メニュー表示等のための文字図形等を表示するための文字図形データを生成し、ＯＳＤ制御部７に供給するなどの処理を実行するとともに、各部を制御するＣＰＵ８と、ＣＰＵ８が各種処理を実行するためのプログラムが展開されるメインメモリ９と、後述する調整値等を記憶する調整値記憶手段を含み、各種設定データ等の保存すべきデータが格納されるフラッシュメモリ１０と、ＣＰＵ８より供給された文字図形データに対応するＯＳＤ表示信号を生成し、ＡＶ出力制御部６に供給するＯＳＤ制御部７等から構成されている。ＡＶ出力制御部６は、主画面デコーダ４より供給された映像信号または副画面デコーダ５より供給された映像信号と、ＯＳＤ制御部７から供給されたＯＳＤ表示信号とを合成した合成映像信号を出力するようになっている。なお、ＡＶ出力制御部６は、フラッシュメモリ１０に含まれる調整値記憶手段に記憶された調整値に応じて各小画面に表示された各映像を調整する映像調整手段を含む。
【０００７】
図２は、画面毎に設定された調整内容の例を示す図である。ディスプレイ１２に多画面表示を行うとき、表示可能な画面数分の調整内容と調整値の記憶領域が各画面毎にフラッシュメモリ１０内に設けられ、各画面に対応する調整内容と調整値が格納される。図２（ａ）は、画面Ａ（例えば、主画面）に対して設定された調整内容、図２（ｂ）は、画面Ｂ（例えば、副画面）に対して設定された調整内容の例を示している。調整内容には、画面サイズ、コントラスト、輝度、シャープネス等がある。なお、本実施の形態においては、調整値記憶手段には、基準画面サイズに対する表示画面サイズの比率に対する調整値も記憶されている。
【０００８】
例えば、ディスプレイ１２に２画面を表示する２画面表示の場合、同一サイズの２画面を表示するときの各画面のサイズをデフォルト値とし、そのデフォルト値に対して例えば２０パーセント小さいサイズと、デフォルト値に対して例えば２０パーセント大きいサイズの間という制限を設け、その制限の範囲内で画面のサイズが変化するとき、画面サイズが変化するのに応じてコントラストや輝度を変化させる。例えば、画面サイズの大きさに比例してコントラストおよび輝度が大きくなるようにする。これにより、優先順位が高いと推定される画面（画面サイズが大きい画面）ほど明るく表示されるようにすることができる。或いは、画面サイズの大きさに比例して輝度のみを変化させるようにしてもよい。
【０００９】
また、例えば、上記画面サイズのデフォルト値に対して５０パーセントより小さいという制限を設け、その制限の範囲内で画面サイズが変化するとき、画面サイズが変化するのに応じてシャープネスを変化させる。例えば、画面サイズの大きさに反比例してシャープネスの度合いが大きくなるようにする。これにより、小さい画面ほどくっきり表示されるので、文字放送などを小さいサイズの画面に表示している場合には、文字等を良好に視認することが可能となる。或いは、画面サイズに反比例してシャープネスおよびコントラストを変化させるようにしてもよい。
【００１０】
図３は、視認性向上のためにシャープネスおよびコントラストを自動調整する手順を説明するためのフローチャートである。まず、ステップＳ１０において、ユーザにより、多画面表示を指示するために、図示しない多画面表示ボタンが押下されると、ＣＰＵ８の制御により、１画面表示から多画面表示に表示モードが切り換えられる。
【００１１】
次に、ステップＳ１１において、ユーザにより、図示しない操作画面切換ボタンが押下され、ディスプレイ１２に表示されている複数の画面の中から画面サイズを変更したい画面が選択される。
【００１２】
次に、ステップＳ１２において、ユーザにより図示しない画面サイズ変更ボタンが操作され、画面サイズの変更が指定されると、ＣＰＵ８の制御により、ステップＳ１１において指定された画面のサイズが、指定されたサイズに変更される。
【００１３】
ステップＳ１３においては、ＣＰＵ８により、サイズが変更された画面を含む全画面のサイズが算出される。そして、ステップＳ１４において、各画面のサイズが順番にデフォルトの画面サイズと比較される。
【００１４】
各画面についての画面サイズの比較の結果、画面サイズがデフォルト値の５０パーセントより小さい場合、ステップＳ１５において、ＣＰＵ８により、画面サイズに反比例してシャープネスを増加させる制御が行われる。また、ステップＳ１６において、ＣＰＵ８により、画面サイズに反比例してコントラストを増加させる制御が行われる。ステップＳ１５およびステップＳ１６の処理はステップＳ１３において画面サイズ算出された全画面について行われる。その後、ステップＳ１７に進む。一方、ステップＳ１４において、画面サイズがデフォルト値の５０パーセント以上の場合、ステップＳ１７に進む。
【００１５】
ステップＳ１７においては、ユーザにより、多画面表示ボタンが押下され、多画面から１画面への移行が指示されたか否かが判定される。その結果、多画面から１画面への移行が指示されていないと判定された場合、ステップＳ１２に戻り、ステップＳ１２以降の処理が繰り返し実行される。一方、多画面から１画面への移行が指示されたと判定された場合、ステップＳ１８に進む。
【００１６】
ステップＳ１８においては、ＣＰＵ８の制御により、ディスプレイ１２のシャープネスの度合いが、予め設定されフラッシュメモリ１０に保持されている１画面表示時のシャープネスの度合いに戻される。
【００１７】
ステップＳ１９においては、ＣＰＵ８の制御により、ディスプレイ１２のコントラストの度合いが、予め設定されフラッシュメモリ１０に保持されている１画面表示時のコントラストの度合いに戻される。その後、処理を終了する。
【００１８】
図４は、優先度明確化のために輝度を自動調整する手順を説明するためのフローチャートである。まず、ステップＳ２０において、ユーザにより、多画面表示を指示するために、図示しない多画面表示ボタンが押下されると、ＣＰＵ８の制御により、１画面表示から多画面表示に表示モードが切り換えられる。
【００１９】
次に、ステップＳ２１において、ユーザにより、図示しない操作画面切換ボタンが押下され、ディスプレイ１２に表示されている複数の画面の中から画面サイズを変更したい画面が選択される。
【００２０】
次に、ステップＳ２２において、ユーザにより図示しない画面サイズ変更ボタンが操作され、画面サイズの変更が指定されると、ＣＰＵ８の制御により、ステップＳ２１において指定された画面のサイズが、指定されたサイズに変更される。
【００２１】
ステップＳ２３においては、ＣＰＵ８により、サイズが変更された画面を含む全画面のサイズが算出される。そして、ステップＳ２４において、各画面のサイズが順番にデフォルトの画面サイズと比較される。
【００２２】
各画面についての画面サイズの比較の結果、画面サイズがデフォルト値の８０パーセントより大きく、かつ、デフォルトの値の１２０パーセントより小さい場合、ステップＳ２５において、ＣＰＵ８により、画面サイズに比例して輝度を増加させる制御が行われる。ステップＳ２５の処理はステップＳ２３において画面サイズが算出された全画面について行われる。その後、ステップＳ２６に進む。一方、ステップＳ２４において、画面サイズがデフォルト値の８０パーセント以下、または、デフォルトの値の１２０パーセント以上の場合、ステップＳ２６に進む。
【００２３】
ステップＳ２６においては、ユーザにより、多画面表示ボタンが押下され、多画面から１画面への移行が指示されたか否かが判定される。その結果、多画面から１画面への移行が指示されていないと判定された場合、ステップＳ１２に戻り、ステップＳ１２以降の処理が繰り返し実行される。一方、多画面から１画面への移行が指示されたと判定された場合、ステップＳ２７に進む。
【００２４】
ステップＳ２７においては、ＣＰＵ８の制御により、ディスプレイ１２の輝度が、予め設定されフラッシュメモリ１０に保持されている１画面表示時の輝度に戻される。その後、処理を終了する。
【００２５】
図５は、多画面表示の例を示す図である。図５（ａ）は、画面Ａと画面Ｂが同一サイズの場合の表示例を示している。この場合の画面Ａおよび画面Ｂの画面サイズがデフォルト値とされる。
【００２６】
図５（ｂ）は、画面Ａの画面サイズを大きくし、画面Ｂの画面サイズを小さくした場合の例を示している。この場合、図４のステップＳ２４の条件を満たす場合、画面サイズが大きい画面Ａの方が画面Ｂより優先度が高くなり、画面サイズに比例して輝度が大きくなるように制御される。また、画面Ｂは、図４のステップＳ２４の条件を満たす場合、画面サイズに比例して輝度が小さくなるように制御される。
【００２７】
図５（ｃ）は、画面Ａの画面サイズを大きくし、画面Ｂの画面サイズを小さくし、さらに、画面Ｃを追加表示した場合の例を示している。画面Ａおよび画面Ｂのサイズはそれぞれ図５（ｂ）の場合と同様である。画面Ｃの画面サイズが、図３のステップＳ１４の条件を満たしている場合、ＣＰＵ８により、画面Ｃの画面サイズに反比例してシャープネスが増加し、さらに、コントラストが増加する制御が行われる。
【００２８】
以上説明したように、本実施の形態により、画面サイズが大きいほど明るく、画面サイズが小さいほど暗くなるようにすることができる。これにより、通常、視聴優先度が高い画面サイズの大きな画面の視認性を向上させることができる。
【００２９】
また、画面サイズが小さいほど、シャープネスおよびコントラストを増加させることができる。これにより、小さな画面に表示された文字や図形等の視認性を向上させることができる。
【００３０】
このように、画面サイズに応じて画質（輝度、シャープネス、コントラスト等）の調整が自動で行われるようにすることができる。
【００３１】
なお、上記実施の形態の構成及び動作は例であって、本発明の趣旨を逸脱しない範囲で適宜変更することができることは言うまでもない。また、上記実施の形態で用いた具体的な数値は例であってこれらに限定されるものではない。
【産業上の利用可能性】
【００３２】
本発明は、例えば、テレビジョン受像機だけでなく、映像を表示するその他の機器にも適用することができる。
【図面の簡単な説明】
【００３３】
【図１】本発明が適用されるテレビジョン受像機の一実施の形態の構成例を示すブロック図である。
【図２】画面毎に設定された調整内容の例を示す図である。
【図３】視認性向上のためにシャープネスおよびコントラストを自動調整する手順を説明するためのフローチャートである。
【図４】優先度明確化のために輝度を自動調整する手順を説明するためのフローチャートである。
【図５】多画面表示の例を示す図である。
【符号の説明】
【００３４】
１  チューナＡ
２  チューナＢ
３  ＡＶスイッチ
４  主画面用デコーダ
５  副画面用デコーダ
６  ＡＶ出力制御部
７  ＯＳＤ制御部
８  ＣＰＵ
９  メインメモリ
１０  フラッシュメモリ
１１  スピーカ
１２  ディスプレイ
【図１】
2009005258.tif 000003
【図２】
2009005258.tif 000004
【図３】
2009005258.tif 000005
【図４】
2009005258.tif 000006
【図５】
2009005258.tif 000007